(57)【要約】【課題】  単純マトリックス方式の液晶表示器のコモンライン（走査電極ライン）及びセグメントライン（信号電極ライン）の断線及び短絡を少ない画素の点灯によって検出可能にする液晶表示装置の検査方法及び検査装置を提供する。ことを目的とする。【解決手段】  単純ドットマトリックス型の液晶表示器２１を例えば１／８デューティで駆動する場合は、８本のセグメントラインＳ１〜Ｓ８を１つのグループとし、そのグループ内で各セグメントラインＳ１〜Ｓ８毎にそれぞれコモンラインＣ１〜Ｃ８が異なる１つの画素Ｇ１１，Ｇ２２，…，Ｇ８８を点灯させる。このように、コモンライン数ｎに対してｎ本のセグメントラインを１つのグループとし、そのグループ内でｎ個の画素を点灯させるように駆動し、所定のｎ個の画素のみが点灯すれば、全てのラインに断線及び短絡がないことが確認できる。【選択図】        図１
2005049788.tif 000002
【特許請求の範囲】
【請求項１】
複数の走査電極と複数の信号電極とが対向する部分にそれぞれ画素が形成される単純マトリックス型の液晶表示装置の走査電極ライン及び信号電極ラインの短絡及び断線を検出する液晶表示装置の検査方法であって、
前記走査電極ライン数をｎとしたときに、連続するｎ本の信号電極ラインを１つのグループとし、そのグループ内で各信号電極ライン毎にそれぞれ走査電極ラインが異なる１つの画素を点灯させることを特徴とする液晶表示装置の検査方法。
【請求項２】
ｎ本の走査電極ラインとｍ本（ｍ＞ｎ）の信号電極ラインとを備え最大でｎ×ｍ個の画素を表示可能な単純マトリックス型の液晶表示器と、外部から供給される表示データに基づいて前記各電極ラインの電圧信号を生成して各電極ラインを駆動することで前記液晶表示器に前記表示データに対応した表示を行なわせる液晶駆動回路部とを備えた液晶表示装置の検査装置であって、
この検査装置は、走査電極ライン数ｎと同数の連続するｎ本の信号電極ラインを１つのグループとし、そのグループ内で各信号電極ライン毎にそれぞれ走査電極ラインが異なる１つの画素を点灯させるように指定した検査用表示データを前記液晶駆動回路部へ供給する検査用表示データ供給部を備えることを特徴とする液晶表示装置の検査装置。
【発明の詳細な説明】
【技術分野】
【０００１】
本発明は、単純マトリックス方式の液晶表示装置の走査電極ライン（コモンライン）及び信号電極ライン（セグメントライン）の短絡及び断線を一部の画素の点灯によって検査する液晶表示装置の検査方法及び検査装置に関する。
【背景技術】
【０００２】
液晶パネルの全ての文字を１つずつ一定の順序・時間間隔で点灯・消灯させ、それをＴＶカメラで撮像して画像メモリに格納した後に、液晶表示パネルの文字表示箇所毎にウインドを設定し、設定した各ウインドにおいて点灯・消灯のタイミングを見計らって濃度ヒストグラムを形成して、点灯・消灯を判断することで、リモコンの液晶パネルの点灯・消灯の検査を自動的に行なえるようにした液晶パネル点灯検査装置は、従来から知られている（例えば、特許文献１参照）。
【０００３】
目視検査すべき液晶表示装置などのドット表示パネルに、市松パターンと反転市松パターンとを交互に表示させることで、全てのドットのオン及びオフ状態を検査するようにした表示装置の検査方法は、従来から知られている（例えば、特許文献２及び３参照）。
【０００４】
各セグメント電極に電流を流し、そのセグメント電極間の抵抗値を測定することによって、セグメント間のショートの有無をチェックする検査方法は、従来から知られている（例えば、特許文献４参照）。
【０００５】
コモンラインの１本おきに検査用電極を設けるとともに、セグメントラインの１本おきに検査用電極を設け、全表示画素の１／４を点灯させることで、全てのコモンラインの短絡検査及び全てのセグメントラインの短絡検査を行なえるようにした液晶表示装置は、従来から知られている（例えば、特許文献５参照）。
【０００６】
【特許文献１】特開平７−１０４７１７号公報
【特許文献２】特開平８−２４１０４６号公報
【特許文献３】特開平９−８９７１７号公報
【特許文献４】特開平９−５７６８号公報
【特許文献５】特開平１１−１８３８６２号公報
【発明の開示】
【発明が解決しようとする課題】
【０００７】
液晶パネルの全ての文字を１つずつ一定の順序・時間間隔で点灯・消灯させたり、市松パターンと反転市松パターンとを交互に表示させたりすることで、全ての画素について点灯／消灯を確認する方法は、目視確認する画素数が多い。このため、目視確認する検査者の負担が大きい。また、表示パターンをＴＶカメラ等で撮像し、画像処理を施して点灯／消灯を確認する方法は、検査設備が高価である。
【０００８】
セグメント電極間の抵抗値を測定することによってセグメント間のショートの有無をチェックする検査方法は、抵抗値の測定器が必要であるとともに検査用の端子が必要である。
【０００９】
コモンライン及びセグメントラインのそれぞれ半数に点灯駆動信号を供給し、全画素の１／４を点灯させることで、コモンラインの短絡検査及びセグメントラインの短絡検査を行なうことができる。しかしながら、点灯駆動信号を供給していない残り半分のコモンライン及びセグメントラインの中に断線したラインがあってもそれを検出することはできない。
【００１０】
本発明はこのような課題を解決するためなされたもので、単純マトリックス方式の液晶表示装置の走査電極ライン（コモンライン）及び信号電極ライン（セグメントライン）の断線及び短絡を少ない画素の点灯によって検出できるようにした液晶表示装置の検査方法及び検査装置を提供することを目的とする。
【課題を解決するための手段】
【００１１】
前記課題を解決するため本発明に係る液晶表示装置の検査方法は、単純マトリックス型の液晶表示装置の走査電極ライン及び信号電極ラインの短絡及び断線を検出する液晶表示装置の検査方法であって、走査電極ライン数ｎに対して連続するｎ本の信号電極ラインを１つのグループとし、そのグループ内で各信号電極ライン毎にそれぞれ走査電極ラインが異なる１つの画素を点灯させることを特徴とする。
【００１２】
本発明に係る液晶表示装置の検査装置は、単純マトリックス型の液晶表示器と液晶駆動回路部とを備えた液晶表示装置の検査装置であって、この検査装置は、走査電極ライン数ｎに対して連続するｎ本の信号電極ラインを１つのグループとし、そのグループ内で各信号電極ライン毎にそれぞれ走査電極ラインが異なる１つの画素を点灯させるように指定した検査用表示データを前記液晶駆動回路部へ供給する検査用表示データ供給部を備えることを特徴とする。
【００１３】
本発明に係る検査方法及び検査装置は、走査電極ライン数ｎに対して連続するｎ本の信号電極ラインを１つのグループとし、そのグループ内でｎ個の画素を点灯させるように駆動する。所定のｎ個の画素のみが点灯すれば、全ての走査電極ライン及び全ての信号電極ラインに断線がないこと、ならびに、走査電極ライン間及び信号電極ライン間に短絡がないことが確認される。
【００１４】
ｎ×ｎ個の画素に対してｎ個の画素を点灯させるだけでよいので、目視確認が容易であり、検査者の負担が軽減される。目視確認が容易であるので、点灯時間を短くできる。これにより、目視検査に要する時間を短縮できる。
【００１５】
なお、走査電極ライン又は信号電極ラインに断線が生じている場合には、所定の画素が点灯しない。これにより、断線障害を検出できる。
【００１６】
また、走査電極ライン間または信号電極ライン間に短絡が生じている場合には、所定のｎ個以外の画素が点灯したり、所定の画素の点灯状態に異常が生ずる（例えば、コントラストの低下やちらつきが生ずる）。これにより、短絡障害を検出できる。
【発明の効果】
【００１７】
以上説明したように本発明によれば、単純マトリックス方式の液晶表示装置の走査電極ライン（コモンライン）及び信号電極ライン（セグメントライン）の断線及び短絡を、少数の一部の画素を点灯駆動することによって検出できる。ｎ×ｎ個の画素に対してｎ個の画素を点灯させるだけでよいので、目視確認が容易であり、検査者の負担が軽減される。目視確認が容易であるので、点灯時間を短くできる。これにより、目視検査に要する時間を短縮できる。
【発明を実施するための最良の形態】
【００１８】
以下、本発明の実施の形態を添付の図面に基づいて説明する。
【００１９】
図１は本発明の第１の実施の形態に係る液晶表示装置の検査装置のブロック構成図である。図１に示す液晶表示装置の検査装置１０は、検査対象である液晶表示装置２０を着脱自在に保持するアタッチメント部１１と、液晶表示装置２０に検査用表示データを供給する検査用表示データ供給部１２とからなる。
【００２０】
検査用表示データ供給部１２は、予め作成された検査用表示データが格納される検査用表示データ記憶部１３と、検査用表示データを液晶表示装置２０へ供給する検査用表示データ送出部１４とを備える。
【００２１】
検査用表示データ送出部１４は、検査用表示データ記憶部１３から検査用表示データを読み出す表示データ読出手段と、検査用表示データ記憶部１３から読み出した表示データをシリアル表示データへ変換するデータ変換手段と、シリアルデータ転送クロックを発生するとともに、シリアルデータ転送クロックに同期させてシリアル表示データを送出するシリアル表示データ送出手段等を備える。
【００２２】
液晶表示装置２０はドットマトリックス表示型のもので、例えば縦が８ドット、横が６０ドットの全４８０ドット構成の液晶表示器２１と、液晶駆動回路部２２とからなる。
【００２３】
液晶駆動回路部２２は、例えばＣ−ＭＯＳ構成のドットマトリックスＬＣＤコントローラドライバＩＣ等を用いて構成している。この液晶駆動回路部２２は、発振回路、分周回路、シリアル表示データ受信回路、昇圧回路、液晶駆動電圧生成回路、シフトレジスタ、コモンドライバ、セグメントドライバ等を備えている。この液晶駆動回路部２２は、例えば１／８デューティ、１／５バイアス方式で液晶表示器２１を駆動する。
【００２４】
図中の符号ＤＡＴＡはシリアル表示データ入力端子、ＳＣＫはシリアルデータ転送クロック入力端子、ＣＯＭ１〜ＣＯＭ８はＬＣＤ駆動用コモン出力端子、ＳＥＧ１〜ＳＥＧ６０はＬＣＤ駆動用セグメント出力端子である。また、符号Ｃ１〜Ｃ８はコモン信号ライン（走査電極ライン）、Ｓ１〜Ｓ６０はセグメント信号ライン（信号電極ライン）である。
【００２５】
なお、本明細書において、コモン信号ライン（走査電極ライン）という用語は、液晶表示器２１のコモン電極ラインだけではなく、ＬＣＤコントローラドライバＩＣ等が実装されたプリント基板（印刷配線基板）のコモン信号配線パターン及びプリント基板（印刷配線基板）と液晶表示器２１のコモン電極端子との接続配線をも含めたものとして用いている。同様に、本明細書において、セグメント信号ライン（信号電極ライン）という用語は、液晶表示器２１のセグメント電極ラインだけではなく、ＬＣＤコントローラドライバＩＣ等が実装されたプリント基板（印刷配線基板）のセグメント信号配線パターン及びプリント基板（印刷配線基板）と液晶表示器２１のセグメント電極端子との接続配線をも含めたものとして用いている。
【００２６】
検査装置１０のアタッチメント部１１は複数の端子ピン（図示しない）を備えており、アタッチメント部１１に液晶表示装置２０が装着された状態では、それら複数の端子ピンのそれぞれを介して液晶表示装置２０に検査用表示データ（シリアル表示データ）ＳＤ、シリアル表示データ転送用クロックＳＫ及び電源（図示しない）が供給される。
【００２７】
ここで、第１の実施の形態に係る検査装置１０は、走査電極ライン（コモンライン）数をｎとしたときに、連続するｎ本の信号電極ライン（セグメントライン）を１つのグループとし、そのグループ内で各信号電極ライン（セグメントライン）毎にそれぞれ走査電極ライン（コモンライン）が異なる１つの画素を点灯させるように指定した検査用表示データを液晶駆動回路部２２へ供給するようにしている。
【００２８】
具体的には、第１のセグメントラインＳ１乃至第８のセグメントラインＳ８からなる８本のセグメントラインを１つのグループとし、各セグメントラインによって駆動されるそれぞれ８個の画素（ドット）の中から１画素（１ドット）のみを点灯させるものとし、かつ、各セグメントライン毎にコモンラインが異なる１画素を点灯させるようにしている。
【００２９】
例えば、第１のセグメントラインＳ１と第１のコモンラインＣ１とが対向する画素Ｇ１１を点灯させ、第２のセグメントラインＳ２と第２のコモンラインＣ２とが対向する画素Ｇ２２を点灯させ、第３〜第８のセグメントラインＳ３〜Ｓ８と第３〜第８のコモンラインＣ３〜Ｃ８とが対向するそれぞれの画素Ｇ３３，……，Ｇ８８を点灯させる。
【００３０】
図２は第１の実施の形態における点灯画素の一具体例を示す図、図３は第１の実施の形態における点灯画素の他の具体例を示す図である。なお、図２及び図３で、●印は点灯画素（点灯ドット）、○印は非点灯画素（非点灯ドット）すなわち消灯画素（消灯ドット）を表わしている。
【００３１】
図２は、６０本のセグメントラインを図示の左端から８本毎のグループに分けて、各グループ毎に右下りの直線パターンとなるように特定の画素（ドット）を点灯させた例を示している。
【００３２】
図３は、６０本のセグメントラインを図示の右端から８本毎のグループに分けて、各グループ毎に右上りの直線パターンとなるように特定の画素（ドット）を点灯させた例を示している。
【００３３】
図２及び図３に例示したように、各セグメントライン（信号電極ライン）毎にそれぞれ１個の画素（ドット）のみを点灯させることで、点灯画素数（点灯ドット数）を少なくしても（１／８デューティ駆動方式では、全画素に対して点灯画素数を１／８にしても）、各グループ毎に所定の８個の画素のみが点灯すれば、全ての走査電極ライン及び全ての信号電極ラインに断線がないこと、ならびに、走査電極ライン間及び信号電極ライン間に短絡がないことが確認できる。
【００３４】
１つのグループを構成する８×８個の画素に対して８個の画素を点灯させるだけでよいので、目視確認が容易であり、検査者の負担が軽減される。さらに、目視確認が容易であるので、点灯時間を短くできる。これにより、目視検査に要する時間を短縮できる。
【００３５】
なお、コモンライン（走査電極ライン）Ｃ１〜Ｃ８又はセグメントライン（信号電極ライン）Ｓ１〜Ｓ６０に断線が生じている場合には、所定の画素が点灯しないので、これにより断線障害を検出できる。また、コモンライン（走査電極ライン）間またはセグメントライン（信号電極ライン）間に短絡が生じている場合には、所定の８個以外の画素が点灯したり、所定の画素の点灯状態に異常が生ずる（例えば、コントラストの低下やちらつきが生ずる）ので、これにより短絡障害を検出できる。
【００３６】
なお、図２及び図３では複数のグループを同時に点灯させる例を示したが、第１グループ内の特定の画素のみを所定時間継続させて点灯させた後にそれらを消灯させ、次に第２グループ内の特定の画素のみを所定時間継続させて点灯させることを最終グループに至るまで順次繰り返すようにしてもよい。また、第１グループ内の特定の画素のみを所定時間継続させて点灯させた後にそれらを消灯させることなく、第２グループ内の特定の画素を追加点灯させ、所定時間が経過する毎に第３，第４，…のグループの特定画素を順次追加点灯させるようにしてもよい。このように、各グループ毎に点灯検査を行なう方法を取ることで、一度に目視確認する画素数がさらに減少するので（一度に目視確認する画素範囲が狭くなる）ので、検査者の負担がさらに軽減される。
【００３７】
第１の実施の形態で例示した液晶表示装置２０は、横６０ドット、縦８ドットのドットマトリックス型であるので、例えば横が５ドット、縦が７ドット構成の文字，数字等を１２文字まで表示させ、さらに、縦方向の最下位のドット１行をカーソル表示等に利用することができる。したがって、このような液晶表示装置２０を用いて例えば自動車用のオドメータ（積算走行距離表示計）やトリップメータ（走行距離計）を構成することができる。この場合、オドメータ（積算走行距離表示計）やトリップメータ（走行距離計）としての表示形態（例えば０〜９の数字）を全てを点灯させて、各ライン（コモンライン及びセグメントライン）の断線や各ライン間の短絡（ショート）の有無をチェックすると、検査工数が多大となる。これに対して、本発明に係る検査方法及び検査装置を適用することで、極めて少ない点灯画素数で、各ラインの断線や各ライン間の短絡（ショート）障害を検出できる。
【００３８】
図４は第１の実施の形態に係る液晶表示装置の検査装置を利用して液晶表示装置の全ての画素の点灯／消灯を検査する方法の一例を示す図である。図４（ａ）〜（ｈ）に示すように、所定の時間間隔で、各グループ毎に各グループ内で点灯させる画素（ドット）位置を１ライン分ずつシフトさせていくことで、全画素について点灯／消灯の検査を行なうことができる。この場合、検査装置１０は、所定の時間間隔で各グループ毎に各グループ内で点灯させる画素（ドット）位置を１ライン分ずつシフトさせた検査用表示データを液晶表示装置２０に順次供給することになる。
【００３９】
なお、図４では、各グループ内で点灯させる画素（ドット）位置をセグメントライン方向（図示左右方向）へシフトさせる例を示したが、各グループ内で点灯させる画素（ドット）位置をコモンライン方向（図示上下方向）へシフトさせるようにしてもよい。なお、図４では点灯画素のみを●印で示している。
【００４０】
なお、図１では、検査装置１０から液晶表示装置２０に対してシリアル表示データＳＤを転送用クロックＳＫに同期させて供給する構成を例示したが、液晶表示装置２０側が４ビットまたは８ビットのパラレルデータを入力又は入出力可能な構成である場合には、検査装置１０側から４ビットまたは８ビットのパラレル表示データを供給し、例えば書き込みタイミング信号等に基づいてパラレル表示データを液晶駆動回路部２２側に書き込むようにしてもよい。
【００４１】
第１の実施の形態では、検査装置１０側から液晶表示装置２０側へ検査用データを供給する構成であるので、液晶駆動回路部２２側に検査用データを格納する不揮発性メモリ等を設ける必要がない。また、点灯表示検査用データの更新が容易である。なお、液晶駆動回路部２２側に検査用表示データを予め登録しておく構成としてもよい。このような構成をとることによって、液晶表示装置２０単体の状態で点灯検査を行なうことができる。
【００４２】
図５は本発明の第１の実施の形態に係る液晶表示装置の検査装置におけるコモン信号ラインの液晶駆動電圧波形及びセグメント信号ラインの液晶駆動電圧波形を示す波形図である。図５（ａ）〜（ｃ）は、第１，第２及び第８のコモン信号ラインの液晶駆動電圧波形（コモン出力端子ＣＯＭ１，ＣＯＭ，ＣＯＭ８）の出力電圧波形）を示し、図５（ｄ）及び（ｅ）は第１及び第２のセグメント信号ラインの液晶駆動電圧波形（セグメント出力端子ＳＥＧ１，ＳＥＧ２の出力電圧波形）を示している。
【００４３】
各コモン信号ラインの液晶駆動電圧（コモン出力端子ＣＯＭ１，ＣＯＭ２〜ＣＯＭ８の出力電圧）に基づいて第１〜第８のコモンラインが時分割で順次走査（選択指定）される。
【００４４】
第１のセグメント出力端子ＳＥＧ１は、第１のコモンラインが走査されている期間Ｔ１で点灯しきい値を越える電圧（点灯電圧）が供給され、第２〜第８のコモンラインが走査されている期間Ｔ２〜Ｔ８では点灯しきい値を以下の電圧（消灯電圧）が供給される。これにより、第１のコモンラインと第１のセグメントラインとが対向する部分の画素（ドット）が点灯状態になり、第１のセグメントラインの他の画素は消灯状態となる。
【００４５】
第２のセグメント出力端子ＳＥＧ２は、第２のコモンラインが走査されている期間Ｔ２で点灯しきい値を越える電圧（点灯電圧）が供給され、第１及び第３〜第８のコモンラインが走査されている期間Ｔ１，Ｔ３〜Ｔ８では点灯しきい値を以下の電圧（消灯電圧）が供給される。これにより、第２のコモンラインと第２のセグメントラインとが対向する部分の画素（ドット）が点灯状態になり、第２のセグメントラインの他の画素は消灯状態となる。
【００４６】
なお、液晶を交流駆動するために、各コモン出力端子ＣＯＭ１〜ＣＯＭ８及び各セグメント出力端子ＳＥＧ１〜ＳＥＧ６０に出力される液晶駆動電圧は、期間Ｔ１〜Ｔ８からなる時分割周期毎に電圧波形が反転される。
【００４７】
なお、第１の実施の形態では、液晶表示器２１の一具体例として、縦８ドット、横６０ドット（全４８０ドット）の単純ドットマトリックス型のものを例示したが、液晶表示器の縦・横のドット数は任意である。また、液晶表示器は、ドット表示部だけではなく、各種の記号やマーク等のキャラクタ表示部を備える構成であってもよい。また、液晶表示器の駆動デューティやバイアス方式についても、各種のものが利用できる。
【００４８】
図６は本発明の第２の実施の形態に係る液晶表示装置の検査装置のブロック構成図である。図６に示す液晶表示装置の検査装置３０は、検査対象である液晶表示装置４０を着脱自在に保持するアタッチメント部３１と、液晶表示装置４０に検査用表示データを供給する検査用表示データ供給部３２とからなる。
【００４９】
検査用表示データ供給部３２は、予め作成された検査用表示データが格納される検査用表示データ記憶部３３と、検査用表示データを液晶表示装置４０へ供給する検査用表示データ送出部３４とを備える。
【００５０】
検査用表示データ送出部３４は、検査用表示データ記憶部３３から検査用表示データを読み出す表示データ読出手段と、検査用表示データ記憶部３３から読み出した表示データをシリアル表示データへ変換するデータ変換手段と、シリアルデータ転送クロックを発生するとともに、シリアルデータ転送クロックに同期させてシリアル表示データを送出するシリアル表示データ送出手段等を備える。
【００５１】
液晶表示装置４０は、セグメント表示型のものあって、例えば７セグメントで「日」の字を表示する７セグメント表示部と小数点表示セグメントとを例えば１２桁分備えた液晶表示器４１と、液晶駆動回路部４２とからなる。
【００５２】
液晶駆動回路部４２は、例えばＣ−ＭＯＳ構成のドットマトリックスＬＣＤコントローラドライバＩＣ等を用いて構成している。この液晶駆動回路部４２は、発振回路、分周回路、シリアル表示データ受信回路、昇圧回路、液晶駆動電圧生成回路、シフトレジスタ、コモンドライバ、セグメントドライバ等を備えている。この液晶駆動回路部４２は、１／４デューティで、例えば１／３バイアス方式で液晶表示器４１を駆動する。
【００５３】
図中の符号ＤＡＴＡはシリアル表示データ入力端子、ＳＣＫはシリアルデータ転送クロック入力端子、ＣＯＭ１〜ＣＯＭ４はＬＣＤ駆動用コモン出力端子、ＳＥＧ１〜ＳＥＧ２４はＬＣＤ駆動用セグメント出力端子である。また、符号Ｃ１〜Ｃ４はコモン信号ライン（走査電極ライン）、Ｓ１〜Ｓ２４はセグメント信号ライン（信号電極ライン）である。
【００５４】
なお、本明細書において、コモン信号ライン（走査電極ライン）という用語は、液晶表示器４１のコモン電極ラインだけではなく、ＬＣＤコントローラドライバＩＣ等が実装されたプリント基板（印刷配線基板）のコモン信号配線パターン及びプリント基板（印刷配線基板）と液晶表示器４１のコモン電極端子との接続配線をも含めたものとして用いている。同様に、本明細書において、セグメント信号ライン（信号電極ライン）という用語は、液晶表示器４１のセグメント電極ラインだけではなく、ＬＣＤコントローラドライバＩＣ等が実装されたプリント基板（印刷配線基板）のセグメント信号配線パターン及びプリント基板（印刷配線基板）と液晶表示器４１のセグメント電極端子との接続配線をも含めたものとして用いている。
【００５５】
図７は第２の実施の形態に係る液晶表示器のセグメント電極の接続構成の一例を示す図であり、図７（ａ）は液晶層を挟持する１対の透明基板の一方の基板側に形成された走査（コモン）電極セグメントパターンの接続構成を示す図、図７（ｂ）は液晶層を挟持する１対の透明基板の他方の基板側に形成された信号電極セグメントパターンの接続構成を示す図である。
【００５６】
図７（ａ）に示すように、第１のコモン電極端子ＣＯＭ１は、各桁の表示部の第１および第２のセグメントＣ１ａ，Ｃ１ｂ，…，…，Ｃ１２ａ，Ｃ１２ｂにそれぞれ接続されている。第２のコモン電極端子ＣＯＭ２は、各桁の表示部の第３および第４のセグメントＣ１ｃ，Ｃ１ｄ，…，…，Ｃ１２ｃ，Ｃ１２ｄにそれぞれ接続されている。第３のコモン電極端子ＣＯＭ３は、各桁の表示部の第５および第６のセグメントＣ１ｅ，Ｃ１ｆ，…，…，Ｃ１２ｅ，Ｃ１２ｆにそれぞれ接続されている。第４のコモン電極端子ＣＯＭ４は、各桁の表示部の第７および第８のセグメントＣ１ｇ，Ｃ１ｈ，…，…，Ｃ１２ｇ，Ｃ１２ｈにそれぞれ接続されている。
【００５７】
図７（ｂ）に示すように、第１のセグメント電極端子ＳＥＧ１は、第１桁目の表示部の４つのセグメントＳ１ｂ，Ｓ１ｄ，Ｓ１ｅ，Ｓ１ｇに接続されている。第２のセグメント電極端子ＳＥＧ２は、第１桁目の表示部の残りの４つのセグメントＳ１ａ，Ｓ１ｃ，Ｓ１ｆ，Ｓ１ｈに接続されている。以下同様に、第３〜第２４のセグメント電極端子ＳＥＧ３〜ＳＥＧ２４は、各桁の表示部の４個のセグメントにそれぞれ接続されている。
【００５８】
検査装置３０のアタッチメント部３１は複数の端子ピン（図示しない）を備えており、アタッチメント部３１に液晶表示装置４０が装着された状態では、それら複数の端子ピンのそれぞれを介して液晶表示装置４０に検査用表示データ（シリアル表示データ）ＳＤ、シリアル表示データ転送用クロックＳＫ及び電源（図示しない）が供給される。
【００５９】
ここで、第２の実施の形態に係る検査装置３０は、走査電極ライン（コモンライン）数をｎ（ここでは４）としたときに、連続するｎ本（ここでは４本）の信号電極ライン（セグメントライン）を１つのグループとし、そのグループ内で各信号電極ライン（セグメントライン）毎にそれぞれ走査電極ライン（コモンライン）が異なる１つの画素を点灯させるように指定した検査用表示データを液晶駆動回路部４２へ供給するようにしている。
【００６０】
具体的には、第１のセグメントラインＳ１〜第４のセグメントラインＳ４からなる４本のセグメントラインを最初のグループとし、各セグメントラインによって駆動される４個の画素の中から１画素のみを点灯させるものとし、かつ、各セグメントライン毎にコモンラインが異なる１画素を点灯させるようにしている。
【００６１】
図６に示すように、例えば第１のグループにおいては、第１のセグメントラインＳ１と第１のコモンラインＣ１とが対向する第１桁目の画素（セグメント）１ｂを点灯させ、第２のセグメントラインＳ２と第２のコモンラインＣ２とが対向する第１桁目の画素（セグメント）１ｃを点灯させ、第３のセグメントラインＳ３と第３のコモンラインＣ３とが対向する第２桁目の画素（セグメント）２ｅを点灯させ、第４のセグメントラインＳ４と第４のコモンラインＣ４とが対向する第２桁目の小数点画素（セグメント）２ｈを点灯させる。
【００６２】
図８は第２の実施の形態における点灯画素の一具体例を示す図、図９は第２の実施の形態における点灯画素の他の具体例を示す図である。なお、図８及び図９では、点灯セグメント（点灯画素）を黒塗りで示している。
【００６３】
図８は、４本セグメントラインを１つのグループとし、第１のコモンラインＣ１とグループ内で１番目のセグメントライン（Ｓ１，Ｓ５，…，Ｓ２１）との対向するセグメント（画素）を点灯させるように、第２のコモンラインＣ２とグループ内で２番目のセグメントライン（Ｓ２，Ｓ６，…，Ｓ２２）との対向するセグメント（画素）を点灯させるように、第３のコモンラインＣ３とグループ内で３番目のセグメントライン（Ｓ３，Ｓ７，…，Ｓ２３）との対向するセグメント（画素）を点灯させるように、第４のコモンラインＣ４とグループ内で４番目のセグメントライン（Ｓ４，Ｓ８，…，Ｓ２４）との対向するセグメント（画素）を点灯させるように検査用表示データを供給した場合を示している。
【００６４】
図９は、４本セグメントラインを１つのグループとし、第１のコモンラインＣ１とグループ内で２番目のセグメントライン（Ｓ２，Ｓ６，…，Ｓ２２）との対向するセグメント（画素）を点灯させるように、第２のコモンラインＣ２とグループ内で１番目のセグメントライン（Ｓ１，Ｓ５，…，Ｓ２１）との対向するセグメント（画素）を点灯させるように、第３のコモンラインＣ３とグループ内で４番目のセグメントライン（Ｓ４，Ｓ８，…，Ｓ２４）との対向するセグメント（画素）を点灯させるように、第４のコモンラインＣ４とグループ内で３番目のセグメントライン（Ｓ３，Ｓ７，…，Ｓ２３）との対向するセグメント（画素）を点灯させるように検査用表示データを供給した場合を示している。
【００６５】
図８及び図９に例示したように、各セグメントライン（信号電極ライン）毎にそれぞれ１個の画素（セグメント）のみを点灯させることで、点灯画素数（点灯セグメント数）を少なくしても（１／４デューティ駆動方式では、全画素（全セグメント）に対して点灯画素数を１／４にしても）、各グループ毎に所定の４個の画素（セグメント）のみが点灯すれば、全ての走査電極ライン及び全ての信号電極ラインに断線がないこと、ならびに、走査電極ライン間及び信号電極ライン間に短絡がないことが確認できる。
【００６６】
１つのグループを構成する４×４個の画素に対して４個の画素を点灯させるだけでよいので、目視確認が容易であり、検査者の負担が軽減される。さらに、目視確認が容易であるので、点灯時間を短くできる。これにより、目視検査に要する時間を短縮できる。
【００６７】
なお、コモンライン（走査電極ライン）Ｃ１〜Ｃ４又はセグメントライン（信号電極ライン）Ｓ１〜Ｓ２４に断線が生じている場合には、所定の画素が点灯しないので、これにより断線障害を検出できる。また、コモンライン（走査電極ライン）間またはセグメントライン（信号電極ライン）間に短絡が生じている場合には、所定の４個以外の画素が点灯したり、所定の画素の点灯状態に異常が生ずる（例えば、コントラストの低下やちらつきが生ずる）ので、これにより短絡障害を検出できる。
【００６８】
なお、図８及び図９では複数のグループを同時に点灯させる例を示したが、第１グループ内の特定の画素のみを所定時間継続させて点灯させた後にそれを消灯させ、次に第２グループ内の特定の画素のみを所定時間継続させて点灯させることを最終グループに至るまで順次繰り返すようにしてもよい。このように、各グループ毎に点灯検査を行なう方法を取ることで、一度に目視確認する画素数がさらに減少するので（一度に目視確認する画素範囲が狭くなる）ので、検査者の負担がさらに軽減される。
【００６９】
第２の実施の形態で例示した液晶表示装置４０は、７セグメントの「日」の字の表示部を１２桁分備えているので、このような液晶表示装置４０を用いて例えば自動車用のオドメータ（積算走行距離表示計）やトリップメータ（走行距離計）を構成することができる。この場合、オドメータ（積算走行距離表示計）やトリップメータ（走行距離計）としての表示形態（例えば０〜９の数字）を全て点灯させて、各ライン（コモンライン及びセグメントライン）の断線や各ライン間の短絡（ショート）の有無をチェックすると、検査工数が多大となる。これに対して、本発明に係る検査方法及び検査装置を適用することで、極めて少ない点灯画素数（点灯セグメント数）で、各ラインの断線や各ライン間の短絡（ショート）障害を検出できる。
【００７０】
図１０は第２の実施の形態に係る液晶表示装置の検査装置を利用して液晶表示装置の全ての画素の点灯／消灯を検査する方法の一例を示す図である。図１０（ａ）〜（ｄ）に示すように、所定の時間間隔で、各グループ毎に各グループ内で点灯させる画素（ドット）位置を移動させていくことで、全画素について点灯／消灯の検査を行なうことができる。この場合、検査装置１０は、所定の時間間隔で各グループ毎に各グループ内で点灯させる画素（セグメント）位置を変更した検査用表示データを液晶表示装置２０に順次供給することになる。
【００７１】
なお、図１０は点灯させる順序の一例を示したものであって、点灯させる順序は視認性等を考慮して適宜設定することができる。なお、図１０では、点灯画素（点灯セグメント）を黒塗りで示している。
【００７２】
なお、図６では、検査装置３０から液晶表示装置４０に対してシリアル表示データＳＤを転送用クロックＳＫに同期させて供給する構成を例示したが、液晶表示装置４０側が４ビットまたは８ビットのパラレルデータを入力又は入出力可能な構成である場合には、検査装置３０側から４ビットまたは８ビットのパラレル表示データを供給し、例えば書き込みタイミング信号等に基づいてパラレル表示データを液晶駆動回路部４２側に書き込むようにしてもよい。
【００７３】
第２の実施の形態では、検査装置３０側から液晶表示装置４０側へ検査用データを供給する構成であるので、液晶駆動回路部４２側に検査用データを格納する不揮発性メモリ等を設ける必要がない。また、点灯表示検査用データの更新が容易である。なお、液晶駆動回路部４２側に検査用表示データを予め登録しておく構成としてもよい。このような構成をとることによって、液晶表示装置４０単体の状態で点灯検査を行なうことができる。
【００７４】
なお、第２の実施の形態では、液晶表示器４１の一具体例として、７セグメント１２桁のものを例示したが、液晶表示器のセグメント数や桁数等は任意である。また、液晶表示器は、「日」の字型の表示部だけではなく、各種の記号やマーク等のキャラクタ表示部を備える構成であってもよい。また、液晶表示器の駆動デューティやバイアス方式についても、各種のものが利用できる。
【図面の簡単な説明】
【００７５】
【図１】本発明の第１の実施の形態に係る液晶表示装置の検査装置のブロック構成図である。
【図２】第１の実施の形態における点灯画素の一具体例を示す図である。
【図３】第１の実施の形態における点灯画素の他の具体例を示す図である。
【図４】第１の実施の形態に係る液晶表示装置の検査装置を利用して液晶表示装置の全ての画素の点灯／消灯を検査する方法の一例を示す図である。
【図５】本発明の第１の実施の形態に係る液晶表示装置の検査装置におけるコモン信号ラインの液晶駆動電圧波形及びセグメント信号ラインの液晶駆動電圧波形を示す波形図である。
【図６】本発明の第２の実施の形態に係る液晶表示装置の検査装置のブロック構成図である。
【図７】第２の実施の形態に係る液晶表示器のセグメント電極の接続構成の一例を示す図であり、図７（ａ）は液晶層を挟持する１対の透明基板の一方の基板側に形成された走査（コモン）電極セグメントパターンの接続構成を示す図、図７（ｂ）は液晶層を挟持する１対の透明基板の他方の基板側に形成された信号電極セグメントパターンの接続構成を示す図である。
【図８】第２の実施の形態における点灯画素の一具体例を示す図である。
【図９】第２の実施の形態における点灯画素の他の具体例を示す図である。
【図１０】第２の実施の形態に係る液晶表示装置の検査装置を利用して液晶表示装置の全ての画素の点灯／消灯を検査する方法の一例を示す図である。
【符号の説明】
【００７６】
１０，３０  検査装置
１１，３１  アタッチメント部
１２，３２  検査用表示データ供給部
１３，３３  検査用表示データ記憶部
１４，３４  検査用表示データ送出部
２０，４０  液晶表示装置
２１，４１  液晶表示器
２２，４２  液晶駆動回路部
【図１】
2005049788.tif 000003
【図２】
2005049788.tif 000004
【図３】
2005049788.tif 000005
【図４】
2005049788.tif 000006
【図５】
2005049788.tif 000007
【図６】
2005049788.tif 000008
【図７】
2005049788.tif 000009
【図８】
2005049788.tif 000010
【図９】
2005049788.tif 000011
【図１０】
2005049788.tif 000012